(57)【要約】他のスーツケースに接続可能なスーツケースは、スーツケースの前面に配置された第１の接続部と、スーツケースの後面に配置され、少なくとも２つのスーツケースを前後に接続するように第１の接続部が動作可能に関連付けられる第２の接続部と、第１の軸に沿って取り付けられた前部の車輪ペアと、第１の軸と平行な第２の軸に沿って取り付けられた後部の車輪のペアを備えている。前部の車輪のペアは互いに横方向に第1の距離だけ離れ、後部の車輪のペアは互いに横方向に第１の距離より大きな第２の距離だけ離れ、少なくとも２つのスーツケースが前後に接続されたときに、後部のスーツケースの前部の車輪のペアは、前部のスーツケースの車輪の後部のペアの間に入る。【選択図】図１
2020529299.tif 000002
【特許請求の範囲】
【請求項１】
他のスーツケースに接続可能なスーツケースであって、
スーツケースの前面に配置された第１の接続部と、
スーツケースの後面に配置され、少なくとも２つのスーツケースを前後に接続するように第１の接続部が動作可能に関連付けられる第２の接続部と、
第１の軸に沿って取り付けられた前部の車輪ペアと、
第１の軸と平行な第２の軸に沿って取り付けられた後部の車輪のペアを備え、
前部の車輪のペアは互いに横方向に第1の距離だけ離れ、後部の車輪のペアは互いに横方向に第１の距離より大きな第２の距離だけ離れ、少なくとも２つのスーツケースが前後に接続されたときに、後部のスーツケースの前部の車輪のペアは、前部のスーツケースの後部の車輪のペアの間に入る、スーツケース。
【請求項２】
第１の接続部はリング磁石を含み、第２の接続部は両接続部を一緒に接続するための相補的なリング磁石を含む，請求項１に記載のスーツケース。
【請求項３】
更に、引き込まれた位置と引き出された位置の間を移動可能なハンドルを含み、該ハンドルはスーツケースに回転可能に接続されて、引き出された位置にてハンドルはスーツケースに対して所定角度まで回転可能である、請求項１又は２に記載のスーツケース。
【請求項４】
ハンドルはスーツケースから離れるように回転可能であり、移動中に前後の車輪ペアの両方が地面に係合することができる、請求項３に記載のスーツケース。
【請求項５】
ハンドルは、スーツケースにヒンジで回転可能に取り付けられた伸縮自在のアームのペアを含む，請求項３又は４に記載のスーツケース。
【請求項６】
第２の接続部は、少なくとも２つのスーツケースが接続されたときに第１の接続部の一部と係合するように付勢されたばねロック要素を含む，請求項１乃至５の何れかに記載のスーツケース。
【発明の詳細な説明】
【技術分野】
【０００１】
本発明は、接続可能なスーツケース、特に他のスーツケースと接続可能なスーツケースに関する。
【背景技術】
【０００２】
スーツケースなどの荷物は、通常、車輪のセット上でスーツケースを持ち上げたり、押したり引いたりするか、手荷物台車に複数のスーツケースを積み重ねて輸送する。しかし、荷物をどの方法で輸送する場合でも、荷物は個別のユニットとして扱われる。これにより、手荷物台車が利用できない環境で２つ以上のスーツケースを輸送することが難しくなる。空港のような環境で手荷物台車が利用できる場合、多くの場合、手荷物を片側に置いて台車を見つける必要がある。通常、手荷物台車はコインで作動し、輸送のために手荷物台車上の複数の手荷物を持ち上げてバランスをとるのは難しい場合がある。これを行うには、ある程度の肉体的な努力が必要になり、ユーザの背中に負担をかける可能性がある。従って、特に一人のユーザにとっては、手荷物台車を使用して複数の荷物を輸送するのは不便で、費用がかかり、潜在的に危険である。
【０００３】
従来においては、複数の荷物のユーザは、ストラップやロープを使用して荷物を一緒に結合し、ユニットとしてより容易に持ち運びできるようにすることで、上記の問題の幾つかに対処している。しかし、この方法では、常にストラップや紐が緩んだり、荷物が上下し、段差の上を手荷物台車で運ぶと、バラバラになることを引き起こす。また、複数の荷物を結合するのにある程度の時間と労力が必要である。
【０００４】
本発明の目的は、上記の欠点の１つ以上を実質的に克服するか、少なくとも改善することである。
【発明の概要】
【０００５】
本明細書には、容易な輸送のために他の同様のスーツケースに接続可能なスーツケースが開示されている。スーツケースには、ユーザが輸送中にスーツケースを転がすことができるように、前部の車輪セットと後部の車輪セットを含む。前部の車輪セットの各車輪は中央に向かって内向きに寄せられており(indented)、車輪は後部の車輪セットからオフセットした軸上にある。スーツケースは前面と、前面と間隔を空けて配置された後面を含む。２つの部分のコネクタの第１の接続部は、スーツケースの前面に配置され、２つの部分のコネクタの第２の接続部は、スーツケースの後面に配置される。両接続部は、磁気を帯びており、一緒にロックするように引き合う。
【０００６】
上記のユニットの利点は、１つのユニットとして輸送用に、多数のスーツケースが素早く且つ容易に一緒にロックされることである。
【０００７】
車輪のこの構成により、２つ以上のスーツケースが接続されている場合、後部のスーツケースの前輪を前部のスーツケースの後輪の間に入れることができる。これにより、スーツケースを地面に沿ってスムーズに動かすことができる。従って、スーツケースは持ち上げたり、台車を使用する必要なく、一緒に接続され輸送される。
【０００８】
スーツケースには、上面と引込み可能なハンドル機構があるのが好ましい。引込み可能なハンドル機構は、一対の伸縮自在なアームと一対の伸縮自在なアームを接続する把持部を有するハンドルを含む。より好ましくは、スーツケースの横方向の寸法にまたがっている。好ましくは、伸縮可能なアームは、引込み可能なハンドルの回転のために、その基部に回転可能なヒンジを含む。好ましくは、引込み可能なハンドル機構は、スーツケースから離れるように傾けることができる。
【０００９】
好ましくは、磁気コネクタの第１の接続部は２つの閉鎖モジュールを有するハウジングを備える。各閉鎖モジュールは、その基端部の端壁、ハウジングの内側に配置された少なくとも１つの磁石、その先端部にてハウジングに取り付けられた端部キャップ、及び端壁と端部キャップの間のハウジング上に配置された弾性を有する付勢手段を含む。磁気コネクタの第２の接続部は、２つの相補的な閉鎖モジュールを有するハウジングを含む。各閉鎖モジュールは、ハウジングの内側に配置された少なくとも１つの磁石を有し、それにより磁気コネクタの使用時には、弾性を有する付勢手段は、第１の接続部と第２の接続部が接続されていない場合、第２の接続部に対して第１の後退位置にある第１の部分のハウジング及び端壁を付勢するように構成され、第１の接続部と第２の接続部が接続されている際は、第２の接続部によって発せられる磁力の下で収縮して、第１の接続部のハウジング及び端壁を、第２の接続部と係合するために第２の接続部に対して第２の引き出された位置に移動させる。
【００１０】
好ましくは、磁気コネクタの第１の接続部は、ユニットの前面に取り付けられて、前面プレートはユニットの前面にあり、端壁はその引き込まれた位置で前面と同じ高さにある。
【００１１】
好ましくは、第１の接続部の端部キャップは、第２の接続部との係合部を含み、第２の接続部のハウジングは第１の接続部の第２の接続部との係合部に係合する第１の接続部との係合部を含む。
【００１２】
好ましくは、第１の接続部の第２の接続部との係合部は雄要素であり、第１の接続部との係合部は雌要素である。
【００１３】
好ましくは、磁気コネクタの第２の接続部は、ユニットの後面に設置されて、雌係合部がそこから突出する。
【００１４】
好ましくは、第１の接続部の第２の接続部との係合部は端壁の周縁フランジを含む。
【００１５】
好ましくは、第２の接続部の第１の接続部との係合部は、少なくとも１つの弾性部材を含む。特に好ましいのは、第１の接続部との係合部は、ハウジングの側壁の一部の周りに互いに離れて配置された複数の弾性部材であり、多数の弾性部材は、一緒になって約２７０度以下の角度を成す。
【００１６】
好ましくは、端部キャップは端部キャップから延びるハウジング係合部材を含む。
【００１７】
好ましくは、第１の接続部のハウジングは開口部を備えた側壁を有し、該開口部内に端部キャップのハウジング係合部材を受け入れる。
【００１８】
好ましくは、ハウジング係合部材の先端部は、第１の接続部のハウジング内部の磁石に隣接するように配置されている。
【００１９】
好ましくは、ハウジング係合部材の先端部は、カム面を備え、該カム面はラグを形成するように先端部から所定距離だけ離れてリベート(rebate)で終端する。より好ましくは、ラグは、ハウジングの側壁の開口部に係合可能である。
【００２０】
好ましくは、第１の接続部はその中に中央開口部を有する面プレートを含み、面プレートは、端壁の周縁フランジに隣接してハウジングの側壁に適合するように配置されている。
【００２１】
好ましくは、第２の接続部のハウジングは側壁を含み、磁石が側壁内に配置される。好ましくは、ハウジングはハウジングの上に配置された端部キャップをさらに含み、ハウジングの内側に磁石を保持する。
【００２２】
好ましくは、弾性を有する付勢手段はつる巻きばねである。より好ましくは、つる巻きばねはばね鋼で作られている。
【００２３】
好ましくは、第１の接続部のハウジング及び端部キャップ、及び第２の接続部のハウジング及び端部キャップはプラスチックで作られ、より好ましくはナイロンから作られる。
【００２４】
第２の態様に従って、第１の態様に従った複数のユニットを備えるモジュラユニットシステムがここに提供される。
【００２５】
好ましくは、複数のユニットは第１のユニットと第２のユニットを備え、第１のユニットの前面上の２つの部分のコネクタの第１の接続部の位置及び第２のユニットの後面上の２つの部分のコネクタの第２の接続部の位置は、ユニットが互いに隣接して置かれたときに、第１のユニットと第２のユニットの各々を通る軸上にある。好ましくは、第１のユニットの前面は互いに離れた２つの第１の接続部を含み、第２のユニットの後面は互いに離れた２つの第２の接続部を含み、対応して間隔を空けた第１の接続部と第２の接続部は、夫々第１軸と第２軸に沿って位置し、第１軸と第２軸は互いに横方向に間隔を空けてユニとが互いに隣接して置かれたときに、第１のユニットと第２のユニットの各々を通る。
【００２６】
更に、モジュラユニットシステムの第１のユニットと第２のユニットを一緒にロックする方法がここに開示され、第１のユニットと第２のユニットの各々は前面と後面を有し、各前面はその中に開口部を有し、磁気コネクタの少なくとも１つの第１の接続部は開口部内に埋め込まれ、各後面はその中に開口部を有し、磁気コネクタの少なくとも１つの第２の接続部は開口部内に埋め込まれる。方法は、第１のユニットの前面が第２のユニットの後面に隣接し、１つの磁気コネクタの第１の接続部が磁気コネクタの第２の接続部に隣接するように第１のユニットを第２のユニットに隣接して置き、第１の接続部の弾性を有する付勢手段が第２の接続部の磁石の磁力の下で収縮し、それによって第１の接続部を第２の接続部に対して引き出された位置に置き、それによって第１の接続部の雄係合部を第２の接続部の雌係合部にロックさせ、それによって両ユニットを一緒にロックするステップを有している。
【００２７】
更にモジュラユニットシステムの第１のユニットと第２のユニットを一緒に接続する磁気コネクタがここに開示され、該磁気コネクタはその基端部に端壁を有するハウジングと、該ハウジングの内側に配置された少なくとも１つの磁石と、ハウジングの先端部に取り付けられた端部キャップと、端壁と端部キャップの間にてハウジングに配置された弾性を有する付勢手段を含む第１の接続部を備える。磁気コネクタは更に、ハウジングと、該ハウジングの内側に配置された少なくとも１つの磁石とを含む第２の接続部を備え、それにより、弾性を有する付勢手段は使用時に、第１の接続部のハウジングと端部キャップを第２の接続部に対して引き込まれた位置に付勢し、第２の接続部から発せられる磁力の下で収縮し、第１の接続部のハウジングと端部キャップを第２の接続部に対して第２の引き出された位置に動かし、第２の接続部と係合させるように構成されている。
【図面の簡単な説明】
【００２８】
本発明の好ましい実施形態が添付の図面を参照して、例のみを以て記載される。
【図１】実施形態に従った３つのスーツケースの側面図であり、スーツケースは互いに分離されている。
【図２】図１の３つのスーツケースの側面図であり、スーツケースは一緒にロックされている。
【図３】図１の３つのスーツケースの前面図である。
【図４】スーツケースの背面図である。
【図５】スーツケースの底面図である。
【図６】第１の接続部の分解正面図である。
【図７】第１の接続部の分解背面図である。
【図８】第２の接続部の分解正面図である。
【図９】第２の接続部の分解背面図である。
【図１０】ハンドルが格納されたスーツケースの側面図である。
【図１１】ハンドルが引き出されたスーツケースの側面図である。
【図１２】ハンドルが引き出されたスーツケースの前面図である。
【図１３】第１の磁気アセンブリと第２の磁気アセンブリの係合工程を示す。
【図１４】第１の磁気アセンブリと第２の磁気アセンブリの係合が外れた状態の断面図である。
【図１５】第１の接続部と第２の接続部が係合した状態の断面図である。
【発明を実施するための形態】
【００２９】
本発明に従って、図面は接続可能なスーツケース１０Ａ、１０Ｂ、１０Ｃの実施形態を示す。接続可能なスーツケース１０Ａ、１０Ｂ、１０Ｃは異なるサイズであり、或いは同じサイズである。スーツケースのサイズに拘わらず、各スーツケースの構成は本開示の目的から同じである。以下の記載は、参照の簡易さからスーツケース１０Ａに言及する。
【００３０】
図１、図２及び図３に最もよく見られるように、各スーツケース１０Ａ、１０Ｂ、１０Ｃは前後に接続される。図面は、最大から最小（１０Ａ、１０Ｂ、１０Ｃ）を示すが、スーツケース１０Ａ、１０Ｂ、１０Ｃは任意の順序で接続され得る。例えば、より大きなスーツケース１０Ａは中間の大きさのスーツケース１０Ｂの前にあるか、または同じサイズの２つ（またはそれ以上）のスーツケースが一緒に接続されている。スーツケース１０Ａ、１０Ｂ、１０Ｃは、ハードシェルタイプのものであり、各スーツケースは、ベース１１Ａ、１１Ｂ、１１Ｃにスーツケース１０Ａ、１０Ｂ、１０Ｃを地面に転がす為の一組の車輪１２Ａ、１２Ｂ、１２Ｃを有する。図３、図４及び図５に見られるように、各スーツケース１０Ａ、１０Ｂ、１ＯＣの前部の車輪１３のペアは、後部の車輪１５のペアよりも中央に近く配置されている。これにより、後部スーツケース１０Ａの前部の車輪１３のペアは、前部スーツケース１０Ｂの後部の車輪１５のペアの間に入れられ、車輪１２は、スーツケース１０Ａ、１０Ｂが互いに接続されたときに抑制されず、スーツケース１０Ａ、１０Ｂは容易に転がる。車輪１２は、取り外し可能であり、蛍光黄色、緑色又はオレンジなどの審美的に好ましい色で利用可能であってもよい。
【００３１】
各スーツケース１０Ａ、１０Ｂ、１０Ｃは、引込み位置（図１０）と引き出された位置（図１１）との間でスーツケースのユーザによって移動される引込み式ハンドル１４、１１４を有し、ハンドル１４、１１４は、スーツケース１０Ａ、１０Ｂ、１０Ｃが地面の上を転がることができるように、ユーザの後ろに引っ張られる。
【００３２】
図１と図２は、引込み可能なハンドル１４がＴ形である第１の実施形態を示す。ハンドル１４は第１の部分１６と第２の部分１７を含む。第２の部分１７はスーツケース１０Ａ、１０Ｂ、１０Ｃの上部からほぼ垂直に伸長可能であり、第１の部分は、スーツケース１０Ａ、１０Ｂ、１０Ｃの後方に所定の角度で引き出される。
【００３３】
引込み可能なハンドル１１４の更に好ましい実施形態が図３、図４、図１１及び図１２に示される。図３は、引き出されたハンドル１１４を示し、図４は、ハンドル１１４が引き込まれたスーツケース１０Ａの背面図を示す。図１２に見られるように、ハンドル１４は、大凡「Ｕ」字形であり、１対の伸縮自在のサイドアーム１１６と、スーツケース１０Ａの幅にわたる中央把持部１１５とを有する。各サイドアーム１１６は、各端部１１７で回転可能であり、スーツケース１０Ａ内に引き込むための略垂直位置と、両方の車輪１３、１５のペアが移動の容易さのために地面との接触を維持できる角度位置（図１１）との間で回転可能であり、ユーザがスーツケース１０Ａを傾けて地面に沿って転がす必要はない。スーツケースが地面上で引っ張られると、前部の車輪１３のペア及び後部の車輪１５のペアは、両方が地面に残る。図１０に示すように、ハンドル１１４が引き込まれた位置にあるとき、伸縮するアーム１１６は、中央把持部１１５がスーツケース１０Ａの上面１１１と同一平面上にあるように引っ込められる。図１１及び図１２に示すように、引き出された位置では、伸縮するアーム１１６は、直立位置に完全に引き出されている。伸縮するアーム１１６はそれぞれ、その基部に回転可能なヒンジ１１７を含む。回転可能なヒンジ１１７により、ハンドル１１４をスーツケース１０Ａから離れるように傾けることができ、ユーザはスーツケース１０Ａを傾けずに快適に引っ張ることができる。この実施形態の幅広のハンドル構成は、スーツケースに横方向の安定性を提供し、ハンドル機構に過度のストレスをかけることなく、複数の接続されたスーツケースをユニットとして一緒に輸送することを可能にする。
【００３４】
図１に言及して、スーツケース１０Ａは、前面２０Ａと後面３０Ａを有する。前面２０Ａは第１の接続部４０Ａを有し、後面３０Ａは第２の接続部７０Ａを有する。図２に示すように、スーツケース１０Ａの第１の接続部４０Ａは、同様のスーツケース１０の第２の接続部７０Ａと接続して、輸送用の単一ユニットを形成する。スーツケースの順番が重要でないように、第１の接続部４０Ａと第２の接続部７０Ａは、スーツケース１０Ａ上に位置する。例えば、大きなスーツケース１０Ａは、中間の大きさのスーツケース１０Ｂの前に接続されて、又はこの逆もあり得る。
【００３５】
図６及び図７は夫々、第１の接続部４０Ａの分解正面図及び背面図である。第１の接続部４０Ａは、スーツケース１０Ａの内面に取り付け可能なロッキングプレート１０２Ａと、スーツケース１０Ａの外面に取り付け可能な支持(bracing)プレート１００Ａとを含む。ロッキングプレート１０２Ａ及び支持プレート１００Ａは、ネジなどの留め具（図示せず）を介して互いに接合され、スーツケース１０Ａの前面２０Ａをその間に挟み、下記の接続要素を収容する。
【００３６】
第１の接続部４０Ａは、管状ハウジング４１Ａであるロックプラグ１０４Ａを含み、ハウジング４１Ａの直径よりわずかに大きい直径を有する端壁４２Ａを先端部に有して、フランジ４３Ａを形成する。リング磁石６０Ａ及び圧縮ばね１１７Ａが、保持器５０Ａを使用して配置される。保持器５０Ａは、リム１１２Ａによって囲まれた円形ベース１１０Ａと、ベース１１０Ａから延びる円錐形アーム１１４Ａとを含む。リブ１１６Ａは、アーム１１４Ａに沿ってベース１１０Ａから延び、アーム１１４Ａの上面で終端する。アーム１１４Ａは、ねじ穴１１８Ａを含む。保持器５０Ａは、リム１１２Ａの内側にばね１１７Ａを配置し、ばね４７Ａの横方向の動きを防止する。保持器５０Ａはまた、磁石６０Ａの位置を保持する。アーム１１６Ａの上面に配置された円形リム１１７Ａは、リング磁石６０Ａの内径よりわずかに小さい直径を有し、該内径内に隣接して磁石６０Ａを所定箇所にしっかりと位置決めする。
【００３７】
第１の接続部４０Ａを組み立てるべく、管状ハウジング４１Ａは、ロッキングプレート１０２Ａの開口部１０６Ａ及び磁石６０Ａを通して供給され、ばね１１７Ａは、管状ハウジング４１Ａ内にて組み立てられる。保持器５０Ａのアーム１１４Ａは、ばね４７Ａを通して挿入され、磁石６０Ａを位置決めして、カバー１０４Ａの端壁４２Ａに当接するように使用される。セルフタッピングねじ１０８Ａは、保持器５０Ａを管状ハウジング４１Ａに固定する。支持プレート１００Ａは、各磁気アセンブリ１２２Ａの間に延在する補強リブ１２０Ａを含み、該補強リブは支持プレート１００Ａが荷重を支持し、これにより各磁気アセンブリ１２２Ａから負荷を取り除くことを可能にする。支持プレート１００Ａ及びロッキングプレート１０２Ａにより、組み立てが容易になり、閉じ動作中の正しい整列が保証される。
【００３８】
圧縮ばね４７Ａは待機位置に付勢されており、この待機位置ではカバー１０４Ａが引き込まれた位置にあり、管状ハウジング４１Ａの基端部１７及び端部キャップ４８Ａがスーツケース１０Ａの前面２０Ａ内に突出し、端壁４２Ａは、前面２０Ａと同一平面上にある。リング磁石６０Ａに加えられる十分に強い磁力の影響下で、リング磁石６０Ａは、端壁４２Ａが先端方向に引き出された位置に位置し、圧縮ばね４７Ａのばね力に打ち勝ち、ばね４７Ａを収縮させる。
【００３９】
図８及び図９は、夫々第２の接続部７０Ａの正面図及び背面図を示す。第２の接続部７０Ａは、支持プレート７１Ａと面プレート１３０Ａとを含む。支持プレート７１Ａと面プレート１３０Ａとは協働して、第１の接続部４０Ａと同様の方法で、スーツケース１０Ａの後面を挟む。支持プレート７１Ａと面プレート１３０Ａは磁気アセンブリ１１９Ａのペアを収容する。面プレート１３０Ａは、窪んだ中央凹部７２Ａと２つの側凹部１４４Ａとを有する。各側凹部１４４Ａは、第１の接続部７０Ａの各カバー１０４Ａを受け入れるように構成される。各側凹部１４４Ａは、底部湾曲部分１４８Ａを備えてカバー１０４Ａを受け入れるための略長方形である。斜面部１５０Ａは、別のスーツケース１０に接続するときに滑らかな動きを促進する。
【００４０】
支持プレート７１Ａは、スーツケース１０Ａの後面３０Ａの内側に設置されるように構成され、面プレート１３０Ａは後面３０Ａの外側に設置されるように構成されて、組み立てられた２つのプレート７１Ａ、１３０Ａがスーツケース１０Ａの後面３０Ａを挟む。ばねロック要素１３４Ａが、面プレート１３０Ａの各凹部１４４Ａ内に取り付けられている。ばねロック要素１３４Ａは、互いにスナップ嵌めされる第１のアーム１３８Ａ及び第２のアーム１４０Ａを含む。ねじりばね１４２Ａは、組み立てられたアーム１３８Ａ、１４０Ａの内側に位置し、アーム１３８Ａ、１４０Ａを一緒に付勢する。ばねロック要素１３４Ａは、開くように撓んで、第１の接続部４０Ａの管状ハウジング４１Ａを受け入れ、ねじりばね１４２Ａは、アーム１３８Ａ、１４０Ａを閉じて管状ハウジング４１Ａを適所にロックする。ばねロック要素１３４Ａは、積極的なロックのフィードバックを提供し、接続するのに最小限の労力しか必要としない。図８に最もよく見られるように、ねじ１４６Ａは、後部ハウジング１４１Ａ及びリング磁石１１９Ａを面プレート１３０Ａに取り付けるために使用される。固定穴７３Ａ及び留め具（図示せず）が、面プレート１３０Ａを支持プレート７１Ａに取り付けるために使用される。
【００４１】
ここで図１３、図１４及び図１５を参照すると、図１のスーツケース１０Ａ及び１０Ｂは、以下のように磁気コネクタによって接続されている。
【００４２】
図１２に見られるように、第１の接続部４０Ａは、スーツケース１０Ａの前面２０Ａに設置されている。図４に見られるように、第２の接続部７０Ｂは、スーツケース１０Ｂの後面２０Ｂに設置されている。
【００４３】
輸送のために２つのスーツケース１０Ａ、１０Ｂが一緒に接続されるとき、スーツケース１０Ａの前面２０Ａは、スーツケース１０Ｂの後面７０Ｂに近接する。コネクタの第１の接続部４０Ａとコネクタの第２の接続部７０Ｂは、スーツケース１０Ａ、１０Ｂのベース１１Ａ、１１Ｂの上にて同じ高さに設置されて、図１３(１)及び図１４(１)に略示すように、スーツケース１０Ａ、１０Ｂが隣り合って配置されると、それらは互いに整列する。
【００４４】
磁石６０Ａ及び１３６Ａは、互いに近接して互いに引き合うように反対の磁極である。
【００４５】
図１３は、分離された磁気コネクタの第１の磁気アセンブリ１２２Ａ及び第２の磁気アセンブリ１１９Ａを示している。第１の磁気アセンブリ１２２Ａは、ロック片（アンダーカット）１０４Ａを備えたばね駆動式引き込みプラグまたはカバー及び１つの磁石６０Ａ及び磁石保持器５０Ａを含む。第２の磁気アセンブリ１１９Ａは、ばねロック要素１３４Ａ、磁石１３６Ａ、及び磁石保持器１３２Ａを含む。図１４は、第１の磁気アセンブリ１２２Ａ及び第２の磁気アセンブリ１１９Ａを示す。両接続部４０Ａ、７０Ａは、磁気吸引力によって位置付けられ、機械的締結具によって固定される。接続部４０Ａ、７０Ａを近接して配置することにより、接続部４０Ａからカバー１０４Ａが第２の接続部７０Ａに向かって前進する。第２の接続部７０Ａからのばねロック要素１３４Ａは撓んで、第１の接続部４０Ａからのカバー１０４Ａが通過してロック位置に入ることを可能にする。ばねプラグ１０４Ａがロック位置に入ると、ねじりばね１４２Ａにより、ばねロック要素１３４Ａが屈曲して開き、次に閉じることが可能になる。これにより、良いフィードバックが得られ、スーツケース１０を接続する手間が減る。
【００４６】
スーツケース１０Ａをスーツケース１０Ｂから外すには、スーツケース１０Ａは、磁石１２２Ａ、１１９Ａを外すために僅かに垂直に持ち上げられる。斜面部１５０Ａは、スムーズなロック解除動作を提供する。
【００４７】
荷物用台車が不要になるように、幾つかのスーツケースをこの方法で一緒にロックして、一緒に輸送することは明らかである。
【００４８】
磁気コネクタは、ソフトシェルスーツケース、ゴルフバッグ、またはその他のスポーツ用品バッグや保管ユニットなど、他のユニットをロックするために使用され得る。
【００４９】
他のタイプの磁石が適切として用いられる。
【００５０】
スーツケースの他の実施形態では、コネクタは素早い解除コネクタ又はラッチ機構である。
【００５１】
本発明は特定の例を参照して記載されてきたが、本発明は他の多くの形式で実現されることは当業者によって理解される。
【図１】
2020529299.tif 000003
【図２】
2020529299.tif 000004
【図３】
2020529299.tif 000005
【図４】
2020529299.tif 000006
【図５】
2020529299.tif 000007
【図６】
2020529299.tif 000008
【図７】
2020529299.tif 000009
【図８】
2020529299.tif 000010
【図９】
2020529299.tif 000011
【図１０】
2020529299.tif 000012
【図１１】
2020529299.tif 000013
【図１２】
2020529299.tif 000014
【図１３】
2020529299.tif 000015
【図１４】
2020529299.tif 000016
【図１５】
2020529299.tif 000017
【国際調査報告】
2020529299.tif 000018
2020529299.tif 000019
2020529299.tif 000020